(57)【特許請求の範囲】
【請求項１】
乾麺を収納する容器本体に取り付けられ、前記容器本体から複数本の乾麺を束として同時に取り出す時の乾麺の取り出し量を計量するための乾麺用計量器であって、
挿入された乾麺の束の外周により乾麺の取り出し量を計量する計量口と、
前記容器本体の内面と前記計量口を滑らかに接続し、前記容器本体より前記計量口を下方に位置させることにより、前記容器本体から乾麺が前記計量口に束となって流れ込むように誘導する誘導部と、
前記計量口の近傍に形成され、前記誘導部により前記計量口へと誘導される乾麺の一部が前記計量口に到達しないように堰き止める突起部と
を備えることを特徴とする乾麺用計量器。
【請求項２】
複数の前記突起部が、前記計量口の周縁に沿って形成される請求項１に記載の乾麺用計量器。
【請求項３】
複数の前記突起部が、前記誘導部において、乾麺の取り出し方向に対して周方向に形成される請求項１に記載の乾麺用計量器。
【請求項４】
複数の前記突起部は、それぞれほぼ矩形の板形状に形成される請求項２または３に記載の乾麺用計量器。
【請求項５】
複数の前記突起部は、それぞれ同じ横幅を有し且つ等間隔で配置された２〜１０の突起部からなる請求項４に記載の乾麺用計量器。
【請求項６】
請求項１〜５のいずれか一項に記載の乾麺用計量器と、
前記乾麺用計量器が取り付けられ、乾麺を収納するための容器本体と
を備えることを特徴とする乾麺収納容器。
【請求項７】
前記乾麺用計量器は、前記容器本体に対して着脱自在に取り付けられる請求項６に記載の乾麺収納容器。
【発明の詳細な説明】
【技術分野】
【０００１】
この発明は、乾麺用計量器および乾麺収納容器に係り、特に、乾麺を収納する容器本体から複数本の乾麺を束として取り出す時の乾麺の取り出し量を計量する乾麺用計量器に関する。
【背景技術】
【０００２】
食品の分野では、料理等に使用される食品材料の分量を簡便に計量することが求められている。例えば、パスタなどの乾麺を計量する際には、所定の径を有する計量口を備えた乾麺用計量器が用いられる。この乾麺用計量器の計量口に複数本の乾麺を束として挿入することにより、挿入された乾麺の束の外周からその分量を簡便に計量することができる。
【０００３】
近年では、乾麺を収納する容器本体に乾麺用計量器を接続した乾麺収納容器も実用化されている。この乾麺収納容器では、乾麺用計量器の計量口が容器本体より下方に位置するように乾麺収納容器を傾斜させることにより、容器本体に収納された乾麺を計量口を介して取り出すと同時に、その取り出し量を簡便に計量することができる。しかしながら、容器本体と計量口を直接接続することにより両者の間に段差が生じると、乾麺を取り出すために乾麺収納容器を傾斜させても、接続部分の段差が障害となって所定量の乾麺をスムーズに計量口まで導くことが困難であった。
【０００４】
そこで、容器本体に収容された乾麺を計量口までスムーズに導く技術として、例えば特許文献１に開示されているように、容器本体と計量口を接続する誘導部を備えた乾麺用計量器が開示されている。
【先行技術文献】
【特許文献】
【０００５】
【特許文献１】特開２００９−１０２０６３号公報
【発明の概要】
【発明が解決しようとする課題】
【０００６】
特許文献１の乾麺用計量器では、容器本体の内面が計量口の縁に誘導部を介して滑らかに接続されているため、乾麺を取り出す際に、所定量の乾麺を容器本体から計量口までスムーズに誘導することが可能となる。
しかしながら、誘導部により所定量の乾麺が容器本体から計量口まで導かれると同時に、その他の乾麺も計量口に誘導される。このため、計量口まで誘導された所定量の乾麺は、その他の乾麺から密集した状態で押圧され、計量口から所定量の乾麺をスムーズに引き抜いて取り出すことが困難となる。
【０００７】
この発明は、このような従来の問題点を解消するためになされたもので、容器本体から所定量の乾麺をスムーズに取り出しながらその取り出し量を簡便に計量することができる乾麺用計量器および乾麺収容容器を提供することを目的とする。
【課題を解決するための手段】
【０００８】
この発明に係る乾麺用計量器は、乾麺を収納する容器本体に取り付けられ、前記容器本体から複数本の乾麺を束として同時に取り出す時の乾麺の取り出し量を計量するための乾麺用計量器であって、挿入された乾麺の束の外周により乾麺の取り出し量を計量する計量口と、前記容器本体の内面と前記計量口を滑らかに接続し、前記容器本体より前記計量口を下方に位置させることにより、前記容器本体から乾麺が前記計量口に束となって流れ込むように誘導する誘導部と、前記計量口の近傍に形成され、前記誘導部により前記計量口へと誘導される乾麺の一部が前記計量口に到達しないように堰き止める突起部とを備えるものである。
【０００９】
ここで、複数の前記突起部が、前記計量口の周縁に沿って形成されることができる。また、複数の前記突起部が、前記誘導部において、乾麺の取り出し方向に対して周方向に形成されることもできる。
また、複数の前記突起部は、それぞれほぼ矩形の板形状に形成されるのが好ましい。また、複数の前記突起部は、それぞれ同じ横幅を有し且つ等間隔で配置された２〜１０の突起部からなるのが好ましい。
【００１０】
この発明に係る乾麺収納容器は、上記のいずれかに記載の乾麺用計量器と、前記乾麺用計量器が取り付けられ、乾麺を収納するための容器本体とを備えるものである。
ここで、前記乾麺用計量器は、前記容器本体に対して着脱自在に取り付けることができる。
【発明の効果】
【００１１】
この発明によれば、誘導部により計量口へと誘導される乾麺の一部が計量口に到達しないように堰き止める突起部を計量口の近傍に形成するので、容器本体から所定量の乾麺をスムーズに取り出しながらその取り出し量を簡便に計量することが可能となる。
【図面の簡単な説明】
【００１２】
【図１】この発明の実施の形態に係る乾麺用計量器を用いた乾麺収納容器の構成を示す斜視図である。
【図２】乾麺用計量器の構成を示す斜視図である。
【図３】乾麺用計量器の構成を示す側面断面図である。
【図４】乾麺収納容器から複数本の乾麺を束として取り出す様子を示す側面断面図である。
【図５】実施の形態の変形例で用いられた乾麺用計量器の構成を示す側面断面図である。
【図６】実施の形態の他の変形例で用いられた乾麺用計量器の構成を示す側面断面図である。
【図７】実施の形態のさらに他の変形例で用いられた乾麺用計量器の構成を示す斜視図である。
【図８】計量口に対する突起部の配置を示す図である。
【発明を実施するための形態】
【００１３】
以下、この発明の実施の形態を添付図面に基づいて説明する。
図１に、この発明の実施の形態に係る乾麺用計量器を用いた乾麺収納容器の構成を示す。乾麺収納容器は、乾麺Ｐを収納する容器本体１と、容器本体１に取り付けられて容器本体１から複数本の乾麺Ｐを束として同時に取り出す時の乾麺Ｐの取り出し量を計量するための乾麺用計量器２とを有する。
ここで、容器本体１に収納される乾麺Ｐとしては、パスタなどの麺類を乾燥させた直線状のものが用いられる。
【００１４】
容器本体１は、例えば円柱形状を有し、一端が開放されて複数の乾麺Ｐが収納される収納部３が形成されている。
乾麺用計量器２は、円筒形状を有する計量部４と、容器本体１と計量部４を接続する誘導部５と、計量部４の周縁に沿って形成された３つの突起部６とを有する。
【００１５】
図２および図３に乾麺用計量器２の構成を示す。
計量部４は、外部に開放された先端側開口７と、乾麺収納容器内に配置された基端側開口８を有し、先端側開口７と基端側開口８が内周面９により接続されている。内周面９は、先端側開口７から基端側開口８まで連続した同一の径の横断面を有し、この横断面の周の長さが所定量の乾麺Ｐを束ねた際の外周と同程度の円周長となるように形成されている。この内周面９が囲む空間により計量口１０が形成され、計量口１０を埋めるように乾麺Ｐの束を挿入することにより、容器本体１からの乾麺Ｐの取り出し量を計量することができる。
【００１６】
誘導部５は、一端から他端に向けて徐々に縮径され、傾斜している円錐台形状を有し、一端から他端まで貫通した誘導路１１が形成されている。誘導部５の一端側は容器本体１と同一の径を、他端側は計量部４と同一の径をそれぞれ有し、誘導部５の一端側が容器本体１に接続されると共に他端側が計量部４に接続される。これにより、誘導部５の内周面１２が容器本体１の内周面と計量部４の内周面９に滑らかに接続されると共に、容器本体１の収容部３が誘導路１１を介して計量口１０まで連通される。
なお、誘導部５は、一端から他端に向けて徐々に縮径され、傾斜している円錐台形状を有していたが、これに限られず、傾斜角度を緩やかにし、ほぼ平坦に近い形状としてもよい。
３つの突起部６は、それぞれほぼ矩形の板形状に形成され、図３に示すように、計量部４の基端側開口８の周縁部から、計量口１０の中心軸方向で且つ基端方向に突起するように配置されている。このように、３つの突起部は計量口１０の周縁から誘導路１１内に突起し、その間の隙間を介して誘導部５の内周面１２と計量部４の内周面９は滑らかに接続されている。
【００１７】
次に、図１に示した乾麺収納容器から乾麺用計量器２を介して所定量の乾麺Ｐを取り出す動作について説明する。
まず、多数の乾麺Ｐが容器本体１に収納された乾麺収納容器を傾斜させて、計量口１０を容器本体１より下方に位置させる。容器本体１に収納された多数の乾麺Ｐは、重力により収容部３から誘導路１１内に移動し、計量口１０に向かって縮径された誘導部５の内周面１２に沿って内側方向に、すなわち横断面の中心方向に集合しながら誘導路１１内を計量口１０に向かって進行する。そして、誘導部５により計量口１０を覆うように集合された複数本の乾麺Ｐが、図４に示すように、計量部４の基端側開口８から計量口１０内に束となって流れ込んでいく。
【００１８】
ここで、誘導部５の内周面１２により、容器本体１の内周面と計量部４の内周面９の間が滑らかに接続されているため、収容部３に収容された乾麺Ｐを計量口１０までスムーズに導くことができる。また、誘導部５が計量口１０に向かって縮径された内周面１２を有することにより、計量口１０において所定量の乾麺Ｐを束として集合させることができる。なお、誘導部５の内周面１２に沿って集合する複数本の乾麺Ｐのうち、一部の乾麺Ｐは、３つの突起部６により堰き止められるが、３つの突起部６の間の隙間において誘導部５の内周面１２と計量部４の内周面９が滑らかに接続されており、この接続部を介して複数本の乾麺Ｐが計量口１０内に流れ込み、計量口１０内を外側から埋めるように満たしていく。このようにして、計量口１０を所定量の乾麺Ｐの束で満たすことができる。
【００１９】
続いて、計量口１０が所定量の乾麺Ｐの束で満たされると、その乾麺Ｐの束が計量部４の内周面９に沿って引き抜かれる。この時、図４に示すように、計量口１０の周縁に配置された３つの突起部６が、誘導部５により計量口１０へと誘導される乾麺Ｐの一部を計量口１０に到達しないように堰き止めることにより、計量口１０内に挿入された乾麺Ｐがその他の乾麺Ｐにより押圧されるのを抑制する。これにより、所定量の乾麺Ｐを計量口１０からスムーズに引き抜くことができる。なお、図４に示すように、突起部６の厚さに起因して、計量口１０内に挿入された乾麺Ｐとその他の乾麺Ｐとの間に隙間Ｓが生じれば、両者の間に生じる摩擦が抑制されるため、乾麺Ｐの束を計量口１０からさらにスムーズに引き抜くことができる。
このようにして、計量口１０を介して所定量の乾麺Ｐが取り出されることで、乾麺収納容器から複数本の乾麺Ｐを束として取り出すと同時に、その取り出し量を簡便に計量することができる。
【００２０】
本実施の形態によれば、誘導部５の内周面１２が容器本体１の内周面と計量部４の内周面９を滑らかに接続するため、容器本体１に収納された乾麺Ｐを計量口１０までスムーズに導くことができる。また、計量口１０の周縁に配置された３つの突起部６が、計量口１０内に挿入された所定量の乾麺Ｐとその他の乾麺Ｐとの間の押圧を抑制するため、計量口１０から乾麺Ｐの束をスムーズに引き抜いて取り出すことができる。
【００２１】
なお、上記の実施の形態では、突起部６は、計量口１０の中心軸方向で且つ基端方向に突起するように形成されていたが、誘導部５により計量口１０へと誘導される乾麺Ｐの一部を堰き止めるように誘導路１１内に突起していればこれに限るものではなく、例えば図５に示すように、計量口１０の中心軸方向で且つ基端方向に突起すると共に先端が内側を向くように傾斜した突起部２１を形成することもできる。
また、上記の実施の形態では、突起部６は、計量口１０の周縁部に形成されたが、誘導部５により計量口１０へと誘導される乾麺Ｐの一部を堰き止めるように計量口１０の近傍に形成されていればこれに限るものではなく、例えば図６に示すように、誘導部５の内周面１２において、乾麺Ｐの取り出し方向に対して周方向に配置され、計量口１０の中心軸方向で且つ基端方向に突起した突起部２２を形成することもできる。
【００２２】
また、上記の実施の形態では、突起部６は、ほぼ矩形の板形状に形成されていたが、計量口１０に進行する乾麺Ｐの一部を堰き止めることができればこれに限るものではなく、例えば半円または三角形の板形状に形成することもできる。
また、上記の実施の形態では、計量部４は、横断面が円状になるように形成されていたが、乾麺Ｐの取り出し量を計量できればこれに限るものではなく、例えば多角形状または楕円形状などの横断面を有するように形成することができる。また、計量部４の長さは、乾麺Ｐの取り出し量を計量できれば特に限定されず、例えば先端側開口７と基端側開口８が近接するように非常に短く形成することもできる。
【００２３】
また、乾麺用計量器２は、容器本体１に対して着脱可能に取り付けることもできる。例えば、図７に示すように、容器本体１と接続される誘導部５の一端側に、ネジ部が形成された着脱部２３を設け、このネジ部を容器本体１に形成されたネジ部と互いに係合させることにより、乾麺用計量器２を容器本体１に着脱可能に取り付けることができる。また、着脱部２３は、容器本体１の周縁部を挟持する構成とすることもできる。これにより、容器本体１が形状の安定しない袋状のものであっても乾麺用計量器２を着脱可能に取り付けることができる。
【００２４】
次に、突起部６の個数および配置を変えて乾麺収納容器からの乾麺Ｐの取り出し易さを実際に検討した実施例について説明する。
この実施例は、突起部６の個数および配置をそれぞれ変えた乾麺収納容器に、乾麺Ｐを１００ｇから６００ｇまで１００ｇずつ重量を変化させて収納し、それぞれについて乾麺Ｐの取り出し易さを検討したものである。その結果、それぞれ同じ横幅を有する２〜１０個の突起部６を等間隔で計量口１０の周縁に沿って配置した場合に、乾麺収納容器からの乾麺Ｐの取り出し易さが向上した。さらに、複数の突起部６は、例えば図８に示すように、それぞれの横幅Ａと互いの間隔Ｂとの比が１：１０〜１０：１となるように計量口１０の周縁に沿って配置されることで、乾麺収納容器からの乾麺Ｐの取り出し易さが向上した。特に、それぞれ同じ横幅を有する３つの突起部６を、それぞれの横幅Ａと互いの間隔Ｂとの比が１３：８となるように等間隔で計量口１０の周縁に沿って配置することで、乾麺収納容器からの乾麺Ｐの取り出し易さを最も向上させることができた。
【００２５】
突起部６の個数および配置は、誘導部５により計量口１０へと誘導される乾麺Ｐの一部を堰き止めることができれば特に限定されるものではないが、上記のように、それぞれ同じ横幅を有し且つ等間隔で配置された２〜１０の突起部６を計量口１０の周縁に沿って配置するのが好ましい。また、これら複数の突起部６は、それぞれの横幅Ａと互いの間隔Ｂとの比が１：１０〜１０：１となるように計量口１０の周縁に沿って配置するのが好ましい。さらに、それぞれ同じ横幅を有する３つの突起部６を、それぞれの横幅Ａと互いの間隔Ｂとの比が１３：８となるように等間隔で計量口１０の周縁に沿って配置するのが好ましい。
【符号の説明】
【００２６】
１  容器本体、２  乾麺用計量器、３  収納部、４  計量部、５  誘導部、６，２１，２２  突起部、７  先端側開口、８  基端側開口、９  内周面、１０  計量口、１１  誘導路、１２  内周面、２３  着脱部、Ｐ  乾麺、Ｓ  空間。
【図１】
0005746609.tif 000002
【図２】
0005746609.tif 000003
【図３】
0005746609.tif 000004
【図４】
0005746609.tif 000005
【図５】
0005746609.tif 000006
【図６】
0005746609.tif 000007
【図７】
0005746609.tif 000008
【図８】
0005746609.tif 000009